(57)【要約】  複数のデジタルデータセットを符号化し復号化する方法および装置であって、デジタルデータセットはデータフレーム構造を有しており、データフレームは時間枠に対応し、時間枠当りのビット数は変数であり、複数のデジタルデータセットは時系列に命令し、コンテンツパケットにおける複数のデジタルデータセットを結合する手段と追加のパケットにおける時系列のシーケンス情報を結合する手段とを含み、シーケンス情報は、２つのデジタルデータセットの解釈関係をシーケンス情報から導き出すことができるものである。【選択図】図１
2009534696.tif 000002
【特許請求の範囲】
【請求項１】
複数のデジタルデータセットを符号化する装置であって、デジタルデータセットはデータフレーム構造を有しており、データフレームは時間枠に対応し、時間枠当りのビット数は変数であり、前記複数のデジタルデータセットは時系列に命令され、前記装置は、
コンテンツパケットにおいて、前記複数のデジタルデータセットを結合する手段と、
追加のパケットにおいて、前記時系列においてシーケンス情報を結合する手段であって、前記シーケンス情報は、２つのデジタルデータセットの解釈関係が前記シーケンス情報から導き出すことができるものである、前記シーケンス情報を結合する前記手段とを含む、装置。
【請求項２】
前記シーケンス情報を結合する前記手段は、前記コンテンツパケットおよび前記時間シーケンス情報の中にデジタルデータセットの始点に対するアドレスまたは論理ポインタに関する情報を含むために適合される、請求項１に記載の装置。
【請求項３】
前記シーケンス情報を結合する前記手段は、前記シーケンス情報における前記コンテンツパケットの中にデジタルデータセットの始点のタイムスタンプ、タイミング情報またはタイミングオフセットに関する情報を含むために適合される、請求項１に記載の装置。
【請求項４】
前記シーケンス情報を結合する前記手段は、前記シーケンス情報において、コーディングタイプ、コーディングレート、コーディング遅延またはコードのうちの１つまたは一群の組み合わせに関するさらなる情報を含むために適合される、請求項１ないし請求項３のいずれかに記載の装置。
【請求項５】
符号化する前記装置は、前記追加のパケットにおいて、前記デジタルデータセットの音の大きさ、イコライザの設定、ディスプレイの設定または再生オプションのうちの１つまたは一群の組み合わせに関するさらなる情報を含むメタデータを結合する手段をさらに含む、請求項１ないし請求項４のいずれかに記載の装置。
【請求項６】
メタデータを結合する前記手段は、前記メタデータのパケットにおいて、前記デジタルデータセットの楽器編成、歌詞、タイトル、名前、曲名、クリップ情報、発信地、作者のグループ、歌手、解説者、レコーディングの場所またはジャンルのうちの１つまたは一群の組み合わせに関するさらなる情報を含むために適合される、請求項５に記載の装置。
【請求項７】
メタデータを結合する前記手段は、前記メタデータのパケットにおいて、前記デジタルデータセットのカバー、ブックレットまたはラベルうちの１つまたは一群に関するさらなる情報を含むために適合される、請求項５または請求項６に記載の装置。
【請求項８】
前記装置は、前記コンテンツパケット、追加のパケットまたはメタデータのパケットを伝送または保存のために結合されたパケットに結合するためにさらに適合される、請求項１ないし請求項７のいずれかに記載の装置。
【請求項９】
デジタルデータセットは、音声または映像トラックを含む、請求項１ないし請求項８のいずれかに記載の装置。
【請求項１０】
デジタルデータセットは、心理音響的に符号化された音声トラックである、請求項９に記載の装置。
【請求項１１】
デジタルデータセットは、損失性符号化データパケットである、請求項９に記載の装置。
【請求項１２】
複数のデジタルデータセットを符号化する方法であって、デジタルデータセットはデータフレーム構造を有しており、データフレームは時間枠に対応し、時間枠当りのビット数は変数であり、複数のデジタルデータセットは時系列に命令され、前記方法は、
コンテンツパケットにおいて、前記複数のデジタルデータセットを結合するステップと、追加のパケットにおいて、前記時系列においてシーケンス情報を結合するステップであって、前記シーケンス情報は、２つのデジタルデータセットの解釈関係が前記シーケンス情報から導き出すことができるものである、前記シーケンス情報を結合する前記ステップとを含む、方法。
【請求項１３】
複数のデジタルデータセットを復号化する装置であって、デジタルデータセットはデータフレーム構造を有しており、データフレームは時間枠に対応し、時間枠当りのビット数は変数であり、コンテンツパケットおよび追加のパケットから、前記復号化された複数のデジタルデータセットは時系列に命令され、前記コンテンツパケットは複数のデジタルデータセットを含み、前記追加のパケットは時系列におけるシーケンス情報を有し、前記シーケンス情報は、２つのデジタルデータセットの解釈関係が前記シーケンス情報から導き出すことができるものであり、前記装置は、
前記コンテンツパケットおよび前記追加のパケットを読み取る手段と、
前記コンテンツパケットにおける前記複数のデジタルデータセットを抽出し、前記追加のパケットから前記シーケンス情報を抽出し、および前記シーケンス情報に基づいて前記デジタルデータセットに命令する制御装置とを含む、装置。
【請求項１４】
デジタルデータセットを復号化するデコーダをさらに含み、前記デコーダは、前記制御装置に結合され、前記制御装置は、復号化されたデジタルデータセットが前記時系列に命令されるようにデジタルデータセットを前記デコーダに提供するために適合される、請求項１３に記載の装置。
【請求項１５】
デジタルデータセットを復号化する第２デコーダをさらに含み、前記第２デコーダは、前記制御装置に結合され、前記制御装置は、前記デコーダおよび前記第２デコーダから復号化されたデジタルデータセットが前記時系列に命令されるようにデジタルデータセットを前記第２デコーダに提供するために適合される、請求項１４に記載の装置。
【請求項１６】
前記制御装置は、前記シーケンス情報から前記コンテンツパケットの中のデジタルデータセットの始点に対するアドレスまたは論理ポインタに関する情報を抽出するために適合される、請求項１３ないし請求項１５のいずれかに記載の装置。
【請求項１７】
前記制御装置は、前記シーケンス情報から前記コンテンツパケットの中のデジタルデータセットの始点のタイムスタンプ、タイミング情報またはタイミングオフセットに関する情報を抽出するために適合される、請求項１３ないし請求項１６のいずれかに記載の装置。
【請求項１８】
前記制御装置は、前記追加のパケットからコーディングタイプ、コーディングレート、コーディング遅延またはコードの１つまたは一群の組み合わせを抽出するために適合される、請求項１３ないし請求項１７のいずれかに記載の装置。
【請求項１９】
前記制御装置は、追加のパケットから音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレットまたは任意のメタデータのうちの１つまたは一群の組み合わせに関するさらなる情報を抽出するために適合される、請求項１３ないし請求項１８のいずれかに記載の装置。
【請求項２０】
前記制御装置は、前記コンテンツパケットから音声または映像トラックを抽出するために適合される、請求項１３ないし請求項１９のいずれかに記載の装置。
【請求項２１】
前記デコーダは、心理音響的に符号化されたデジタルデータセットまたは損失性符号化デジタルデータセットを復号化するために適合される、請求項１４ないし請求項２０のいずれかに記載の装置。
【請求項２２】
複数のデジタルデータセットを復号化する方法であって、デジタルデータセットはデータフレーム構造を有しており、データフレームは時間枠に対応し、時間枠当りのビット数は変数であり、コンテンツパケットおよび追加のパケットから、前記複数のデジタルデータセットは時系列に命令され、前記コンテンツパケットは複数のデジタルデータセットを含み、前記追加のパケットは時系列におけるシーケンス情報を有し、前記シーケンス情報は、２つのデジタルデータセットの解釈関係が前記シーケンス情報から導き出すことができるものであり、前記方法は、
前記コンテンツパケットから前記複数のデジタルデータセットを抽出するステップと、
前記追加のパケットから前記シーケンス情報を抽出するステップと、
前記シーケンス情報に基づいて前記デジタルデータセットに命令するステップとを含む、方法。
【請求項２３】
コンテンツパケットおよび追加のパケットを含むデータファイルであって、前記コンテンツパケットは複数のデジタルデータセットの情報を有し、デジタルデータセットはデータフレーム構造を有しており、データフレームは時間枠に対応し、時間枠当りのビット数は変数であり、前記追加のパケットは前記複数のデジタルデータセットの時系列でのシーケンス情報を有し、前記シーケンス情報は２つのデジタルデータセットの解釈関係の情報を有する、データファイル。
【請求項２４】
音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレット、ラベルまたは任意のメタデータのうちの１つまたは一群の組み合わせに関する情報をさらに含む、請求項２３に記載のデータファイル。
【請求項２５】
デジタルデータセットは、心理音響的に符号化された音声データまたは損失性符号化データを含む、請求項２３または請求項２４に記載のデータファイル。
【請求項２６】
デジタルデータセットは、映像データを含む、請求項２３ないし請求項２５のいずれかに記載のデータファイル。
【請求項２７】
コンピュータ上で実行されるときに、請求項１２または請求項２２に記載の方法を実行するためのプログラムコードを有するコンピュータプログラム。
【発明の詳細な説明】
【技術分野】
【０００１】
本発明は、データ保存および伝送に対して、デジタルデータ、特に、映像および音声データを符号化および復号化する分野に関する。
【背景技術】
【０００２】
例えば、ＩＳＯまたはＭＰＥＧ−４（国際標準化機構：ＩＳＯ＝Ｉｎｔｅｒｎａｔｉｏｎａｌ  Ｓｔａｎｄａｒｄｉｚａｔｉｏｎ  Ｏｒｇａｎｉｚａｔｉｏｎ，ＭＰＥＧ＝Ｍｏｖｉｎｇ  Ｐｉｃｔｕｒｅｓ  Ｅｘｐｅｒｔ  Ｇｒｏｕｐ）のような従来の最新の最先端の音声および映像符号化および伝送システムは、通常、例えば、ＭＰＥＧ−４  ＡＡＣ（ＡＡＣ＝Ａｄｖａｎｃｅｄ  Ａｕｄｉｏ  Ｃｏｄｉｎｇ）のような音声圧縮である圧縮手段を、およびＩＳＯ  １４４９６−１，ＭＰＥＧ−４システムのような放送のストリームにおけるデータ保存の手段も使用する。
【０００３】
しかしながら、完全におよび真に、これらの最高水準の技術であるシステムは、例えば、オーディオＣＤ（ＣＤ＝Ｃｏｍｐａｃｔ  Ｄｉｓｃ）、それぞれのＣＤＤＡ（ＣＤＤＡ＝Ｃｏｍｐａｃｔ  Ｄｉｓｃ  Ｄｉｇｉｔａｌ  Ａｕｄｉｏ）のような従来の音声および映像の能力を提供する。
【０００４】
例えば、心理音響学的な符号化のような、そのようなソリューションにおいて使用される音声符号化アルゴリズムに基づく変換の性質のため、アルゴリズム的遅延およびコーデックフレーム境界丸めが、復号化されたストリームにおいて生ずる。そして、それは、元の信号と復号化された信号との間の時間不一致をもたらす。図７は、この現象を例示する。図７は、例えば、最初は時間ＴDDSで開始される符号化された音声トラックに対応するデジタルデータセット（ＤＤＳ）を示す。このデジタルデータセットが、デコーダにパスされとき、復号化遅延ΔＴDCCが復号化バージョンにおいて生ずる。例えば、復号化された音声トラックは、遅延の再生を有する。もし、例えば、オーディオＣＤが連続的に演奏され、そして、それらが、例えば、生活記録のような最初のＣＤにおいて継続的な録音資料を含む場合、これは、可聴なギャップを結果として得る。通常、図８において図示されるような状況が生ずる。図８は、時間軸をおよび４つのデジタルデータセットＤＤＳ１−４を示す。ＤＤＳ１およびＤＤＳ２を考慮すれば、図８は、それらが、例えば、それらが、互いにオーバーラップしている音声トラックおよび映像トラックに関連する、潜在的なオーバーラップしていることを示す。ＤＤＳ２は、ＤＤＳ３およびＤＤＳ４ともオーバーラップしている。さらに、図８は、ＤＤＳ１およびＤＤＳ３との間でギャップがあることを示す。しかしながら、ＤＤＳ３およびＤＤＳ４の間にはギャップはない。ＤＤＳ３およびＤＤＳ４は、以下に示される実施例に関連する。ここで、もし、それらが、例えば音声トラックに関連する場合、それらは、元の信号において継続的に使い切られる。しかしながら、もし、それらが、個々の符号化された音声トラックに符号化された場合は、図７において説明されるように、使い切られたギャップが、ＤＤＳ３およびＤＤＳ４の間に符号化遅延のために生ずる。
【０００５】
さらにまた、これら符号化システムは、たいてい、例えば、音声信号または映像信号において、特定のイベントについて追加的なタイミング情報を保存する能力はない。その一方で、これは、インデックスマップを使用することによって、例えば、オーディオＣＤまたはＤＶＤにおいて可能である。例えば、インデックスマップは、拍手および生活記録の終端をマークすることができ、そして、実際の音楽の始まりを特定することができる。再度図８を参照すると、インデックスマップは、相互のタイミング情報として始点ＴDDS1-4を含む。図８において表わされるデジタルデータセットは、例えば、ＤＤＳ２である映像トラックに対応し、映像トラックは、いくつかの音声トラックＤＤＳ１、ＤＤＳ３およびＤＤＳ４によって下に置かれる。もし、これらのデジタルデータセットが別々に符号化される場合、個々のおよび相互のタイミング情報が失われる。符号化システムは、たいてい、例えば、オーディオＣＤまたはビデオＤＶＤに類似の構造において複数のオーディオプログラムを保存する能力がない。オーディオＣＤの場合には、単一の継続的なＰＣＭストリーム（パルス符号変調：ＰＣＭ＝Ｐｕｌｓ  Ｃｏｄｅ  Ｍｏｄｕｌａｔｉｏｎ）において複数の音声トラックを有する。
【０００６】
さらに、これらの符号化システムは、画像形式、歌詞、作者についての追加的な情報等のアルバムアートワークのような追加的な物理的な媒体において存在する追加された情報を追加的な値として持ち越すことができない。加えて、これらのシステムは、複数の音声トラックが異なる平均値および最大の音の大きさのレベルでマスターされる場合、聴取者の耳が保護されるように自動的に利得を補償する手段に使用しない。類似の欠点は、例えば、音声トラックの個々のイコライザの設定または再生設定によって生ずる。
【発明の開示】
【発明が解決しようとする課題】
【０００７】
それゆえに、本発明の目的は、有効な方法において個々のおよび相互のタイミング情報を維持するために、複数のデジタルデータセットを符号化および復号化する装置および方法を提供することである。
【課題を解決するための手段】
【０００８】
目的は、複数のデジタルデータセットを符号化する方法および装置によって達成され、デジタルデータセットは、デジタルフレーム構造を有しており、データフレームは、時間枠に対応し、時間枠当りのビット数は変数であり、複数のデジタルデータセットは、時系列に命令され、装置は、コンテンツパケットにおいて、複数のデジタルデータセットを結合する手段を含む。装置は、追加のパケットにおいて時系列においてシーケンス情報を結合する手段をさらに含み、シーケンス情報は、２つのデジタルデータセットの解釈関係がシーケンス情報から導き出すことができるものである。
【０００９】
目的は、複数のデジタルデータセットを復号化する方法および装置によって達成され、デジタルデータセットは、データフレーム構造を有しており、データフレームは、時間枠に対応し、時間枠当りのビット数は変数であり、コンテンツパケットおよび追加のパケットから復号化された複数のデジタルデータセットは時系列に命令され、コンテンツパケットは、複数のデジタルデータセットを含み、追加のパケットは、時系列におけるシーケンス情報を有し、シーケンス情報は、２つのデジタルデータセットの解釈関係をシーケンス情報から導き出すことができるものであり、復号化する装置は、コンテンツパケットおよび追加のパケットを読み取る手段を含み、そして、コンテンツパケットから複数のデジタルデータセットを抽出する制御装置と、追加のパケットからシーケンス情報を抽出する手段と、シーケンス情報に基づいて、デジタルデータセットに命令する手段をさらに含む。
【００１０】
さらに、目的は、コンテンツパケットおよび追加のパケットを含むデータファイルによって達成され、コンテンツパケットは複数のデジタルデータセットに関する情報を有し、デジタルデータセットは、データフレーム構造を有しており、データフレームは時間枠に対応し、時間枠当りのビット数は変数である。追加のパケットは、複数のデジタルデータセットの時系列でのシーケンス情報を有し、シーケンス情報は、２つのデジタルデータセットの解釈関係に関する情報を有する。
【００１１】
本発明は、もし、異なるデジタルデータセットの間の個々のタイミング情報その上相互のタイミング情報を含むタイミング情報が、シーケンス情報または追加のパケットにも保存された場合、損失性符号化デジタルコンテンツは、データパケットにおいて継続的に保存することができるので、元のタイミング関係は、維持できることといった発見に基づく。符号化データセットについての情報とともに、追加のパケットと一緒に保存されたタイミング情報を使用することは、それらの元々のタイミングとともにデジタルデータセットを保存し、伝送することを可能にする。方法および装置は、それらが別々の方法に関連するように、あらゆる基礎となる音声または映像の圧縮アルゴリズムへの依存がない方法のこれらの課題を解決する。本発明の１つの実施形態は、物理的なＣＤ媒体の特徴、例えば、継続的なトラック、追加的なインデックスマップ、ビットマップアートワーク、ならびに歌詞、ブックレットおよびラベル等のようなメタデータに好ましくは適合する。全ての情報およびＣＤの音声トラックとともにメタデータを提供するだけでなく、任意の圧縮を使用することができるので、ＣＤのデジタルデータセットは、スペースは言うまでもなく全てのデジタル形式において使用することを保存することができる。本発明の実施形態も、音の大きさの情報の保存、聴取者に対してよりよい保護を達成するためのイコライザの設定、および聴覚系のような追加の特徴を提供する。
【００１２】
本発明の好適な実施形態は、添付の図面を使用することによって詳述する。
図１は、符号化の装置の実施形態のブロック図を示し、
図２は、復号化の装置の実施形態のブロック図を示し、
図３は、復号化の装置の他の実施形態のブロック図を示し、
図４は、復号化の発明の方法の実施形態を表し、
図５は、復号化の装置の他の実施形態を示し、
図６は、保存または伝送のための発明のデータパケットの２つの実施形態を示し、
図７は、遅延の従来技術の復号化を例示し、
図８は、デジタルデータセットの典型的なセットを示す。
【発明を実施するための最良の形態】
【００１３】
複数のデジタルデータセットを符号化する装置１００の実施形態は、図１において表わされる。図１は、符号化をする装置１００の実施形態のブロック図を示し、複数のデジタルデータセットを結合する手段１１０およびシーケンス情報を結合する手段１２０を含む。複数のデジタルデータセットを結合する手段１１０は、コンテンツパケットのための出力１３０を有する。シーケンス情報を結合する手段１２０は、追加のパケットのための出力１４０を有する。複数のデジタルデータセットを結合する手段１１０およびシーケンス情報を結合する手段１２０は、相互に接続され、複数のデジタルデータセットのための入力１５０を有し、デジタルデータセットはデータフレーム構造を有しており、データフレームは時間枠に対応し、時間枠当りの数は変数であり、そして複数のデジタルデータセットは時系列に命令される。本発明の１つの実施形態において、入力１５０は、オーディオＣＤのコンテンツに対応する。入力１５０を通じて提供されたオーディオＣＤの元のコンテンツから、複数のデジタルデータセットを結合する手段１１０は、その出力１３０での特に、オーディオＣＤのトラックを含み、一方、例えばＡＡＣまたはＭＰ３の圧縮形式を利用するコンテンツファイルを発生させる。心理音響的に圧縮された圧縮データを提供することにより、複数のデジタルデータセットが復号化され、再生された時点で、潜在的な復号化の遅延がもたらされる。従って、シーケンス情報を結合する手段１２０は、例えばオーディオＣＤから元のシーケンス情報を保存する。本発明の１つの実施形態において、これは、いくつかのトラックの始点に対応する。他の実施形態において、元のＣＤにおけるトラックの間のポーズまたはギャップの継続時間および時間は、始点のすぐ近くに保存されまたは提供される。シーケンス情報を結合する手段１２０は、シーケンス情報を含むその出力１４０で追加のパケットを提供する。シーケンス情報は、２つのデジタルデータセットの解釈関係の導出を可能にさせる。図１において表わされる実施形態のブロック図は、出力１５０を通して接続される複数のデジタルデータセットを結合する手段１１０およびシーケンス情報を結合する手段１２０を示す。本発明の他の実施形態において、元の複数のデジタルデータセットの入力は、複数のデジタルデータセットを結合する手段１１０とシーケンス情報を結合する手段１２０との間で共通しないが、それらは、相互に接続され、それらのうちのどれもが、元の複数のデジタルデータセットのための入力を有する。
【００１４】
他の情報は、コーディングタイプ、コーディングレート、コーディング遅延またはそれ自身のコードに関する情報であるシーケンス情報を結合する手段１２０によって提供される。本発明の実施形態は、コンテンツパケットにおいて、例えば、音声データ、映像データ、事務書類等のようなメタデータの各種としてデジタルデータセットの全ての種類を含む。
【００１５】
本発明の他の実施形態において、シーケンス情報を結合する手段１２０は、シーケンス情報におけるコンテンツパケットの中にデジタルデータセットの始点に対するアドレスまたは論理ポイントに関する情報を含む。さらにもう１つの実施形態において、始点のタイムスタンプ、タイミング情報またはタイミングオフセットに関する情報がシーケンス情報を結合する手段１２０によって含められる。本発明の他の実施形態において、さらに、シーケンス情報を結合する手段１２０は、メタデータを追加のパケットに含めるか、または、例えば、音の大きさ、イコライザの設定、ディスプレイの設定、デジタルデータセットの再生オプションまたはその他のメタデータのうちの１つまたは一群に関する情報を含むメタデータパケットをそれぞれ生成する。本発明の他の実施形態において、複数のデジタルデータセットを符号化する装置１００は、メタデータパケットを結合する手段をさらに含む。
【００１６】
本発明の他の実施形態によって提供される追加の情報は、メタデータ、楽器編成、歌詞、タイトル、名前、曲名、クリップ情報、発信地、作者、グループ、歌手、解説者、レコーディングの場所、ジャンル、ブックレット、ラベル、カバー等に関する情報を含む。
【００１７】
図２は、複数のデジタルデータセットを復号化する発明の装置の実施形態のブロック図を示す。図２は、複数のデジタルデータセットを復号化する装置２００を示し、デジタルデータセットはデータフレーム構造を有しており、データフレームは時間枠に対応し、時間枠当りのビット数は変数であり、コンテンツパケットおよび追加のパケットから復号化された複数のデジタルデータセットは、時系列に命令される。コンテンツパケットは、複数のデジタルデータセットを有し、追加のパケットは、時系列におけるシーケンス情報を有し、シーケンス情報は、２つのデジタルデータセットの解釈関係をシーケンス情報から導き出すことができるものである。復号化する装置２００は、コンテンツパケットおよび追加のパケットを読み取る手段２１０を含む。復号化する装置２００は、コンテンツパケットから複数のデジタルデータセットを抽出し、追加のパケットからシーケンス情報を抽出し、およびシーケンス情報に基づいてデジタルデータセットに命令する制御装置２２０を含む。コンテンツパケットおよび追加のパケットを読み取る手段２１０は、コンテンツパケットおよび追加のパケットを提供するための制御手段に結合される。図２において、これは、読み取る手段２１０および制御手段２２０の間の２つの接続により例示される。本発明の実施形態は、読み取る手段２１０および制御手段２２０の間の単一の物理的結合だけを有するようにしてもよい。
【００１８】
図３は、本発明の他の実施形態のブロック図を示す。図２と比較して同様に、図３は、復号化する本発明の装置２００を表わし、読み取る手段２１０および制御装置２２０を含む。加えて、図３は、制御装置２２０に結合されるデコーダ２３０を示す。上述したように、制御装置２３０は、デジタルデータセットを抽出し、追加のパケットからのシーケンス情報を考慮して、復号化するためにデコーダ２３０へデジタルデータセットを提供する。それらは以前に説明されたように、追加のパケットおよびシーケンス情報から、制御装置２２０は、例えば、復号化の遅延を抽出することができる。
【００１９】
図４は、例えば、再生の音声トラックまたは映像トラックである場合に生じることから、どのように制御装置が防止するかを例示する。図４は、制御装置２２０からデコーダ２３０へ提供されたデジタルデータセット（ＤＤＳ）を例示する第１ダイアグラム４００を示す。制御装置２２０は、コーディング遅延ΔＴDECが、デコーダ２３０がデジタルデータセットを復号化する場合に生ずる、追加のパケットに含まれるシーケンス情報から導き出す。従って、制御装置２２０は、復号化の遅延を考慮することができ、早期にデジタルデータセットを供給する。これは、図４の図解４１０において示される。デコーダがその出力でデジタルデータセットを復号化した後、復号化されたデジタルデータセットは、図４における図解４１０において示される時間内に使用できる。図解４１０から、制御装置は、デジタルデータセットをデコーダに早期に提供することによって、デコーディング遅延ΔＴDECを補正することができることが分かる。デジタルデータセットの早期の提供に加えて互いにコーディング遅延が互いに補正される、その結果、復号化データは固有時ＴDDSで利用できる。
【００２０】
本発明の他の実施形態は、図５において表わされる。図５において表わされた実施形態は、例えば、復号化されたデータが時間領域においてオーバーラップしているとした、オーバーラップしているデジタルデータセットが生ずる場合のケースに関し、たとえ、２つの符号化デジタルデータセットが同じデコーダに互いの直後に提供されていても、符号化遅延を引き起こす初期期間を有するケースのカバーもする。図５は、復号化する本発明の装置２００の実施形態を示す。装置２００は、制御装置２２０に結合された読み取る手段２１０を含む。図４の説明と同様に、制御装置は、符号化デジタルデータセットの提供のためにデコーダ２３０に結合される。図５において、制御装置２２０は、符号化デジタルデータセットを提供するための追加のデコーダ２３５にも結合されている。その配置で２つのデコーダ２３０および２３５を有することにより、制御装置２２０は、オーバーラップしているデータセットでさえ調整することができ、特定のコードが費やす初期期間に対して補正することができる。本発明の他の実施形態において、制御手段２２０は、上述したデータとしてメタデータをさらに抽出する。
【００２１】
図６は、発明のデータファイルの２つの実施形態を示す。図６の上部において、データファイル６００の実施形態は、コンテンツパケット６１０および追加のパケット６２０を含んでいることが表わされる。図６の下部において、他のデータファイル６３０が、コンテンツパケット６４０、追加のパケット６５０およびメタデータパケット６６０を含んでいる。上述したように、メタデータパケット６６０は、あらゆるメタデータを含む、しかしながら、図６に表わされるデータファイル６００および６３０の両方は、メタデータを含むことができる、一方、データファイル６００は、追加のパケット６２０においてメタデータを含むことができる。本発明の１つの実施形態において、図６に表わされるようにデータファイルは、データの保存または伝送のために使用される。
【００２２】
メタデータは、例えば、音の大きさの設定、イコライザの設定、ディスプレイの設定、再生オプション、楽器編成、歌詞、タイトル、名前、曲名、クリップ情報、発信地、作者、グループ、歌手、解説者、レコーディングの場所、ジャンル、カバー、ブックレット、ラベルまたは他のあらゆるメタデータのうちの１つまたは一群の組み合わせを含む。
【００２３】
本発明の１つの実施形態は、ＭＰＥＧ−４システム，ＩＳＯ−ＩＥＣ  １４４９６（国際電気標準会議：ＩＥＣ＝Ｉｎｔｅｒｎａｔｉｏｎａｌ  Ｅｌｅｃｔｒｏｔｅｃｈｎｉｃａｌ  Ｃｏｍｍｕｎｉｔｙ）のようなすでに確立されたストリームフォーマットに拡張できる新規の記録形式である。この実施形態において、復号化システムでさえ、発明の方法ついての知識を有さず、そして、余分な機能を追加することなく、ストリームを復号化またはプレイアウトできることによって利益を得ることができる。
【００２４】
本発明の実施形態の重要な効果は、追加のパケットである。追加のパケットは、あらゆる追加のタイミングが、これらのデジタルデータセットまたはトラックの内部でオフセットされると同様に、元のデジタルデータセット、または入力トラックの正確な時間の情報を記述する。追加のパケットは、符号化システムの遅延について任意の追加の情報を添付することができる。その結果、デコーダ側において、復号化されたデジタルデータセットと元のデジタルデータセットとの間の遅延またはタイミングの不一致なしで、信号の再構成を可能にする（図４を参照）。
【００２５】
さらにまた、本発明の実施形態は、最大の互換性を達成することを可能にするターゲットストリームにおいて継続的な音声ストリームが保存される、単一におけるすべての入力音声トラックを結合する。ＭＰＥＧ−４システムのような基礎を成すシステムが、複数の音声トラックを保存することを可能であっても、マーケットにおける大部分のデコーダは、例えば、ＭＰＥＧ−４ファイルにおいて別々に保存された複数のトラックを理解することができない。従って、第１のトラックだけは、下位互換性を持つ装置を有する再生である。
【００２６】
任意には、本発明の実施形態は、歌詞、曲名などとしてのメタデータのような各々定義された区間に対してされる区間においてカバーされる音声プログラムについて追加の情報を提供する。また、すべてを保存された音声映像プログラムに対して、グローバルにこのデータを定義することを可能にする。そして、これは、例えば、アルバム名、作者、ジャンルなどのようなアルバムまたはコンサートのメタデータに対応する。
【００２７】
さらに、また、本発明の実施形態は、それぞれグローバルに音声プログラムまたは映像プログラムごとに、すなわち、全コレクションに対して、音の大きさのデータを保存することができる。この情報は、音の大きさを等しくするために、および突然の音の大きさの変化のために生じるあらゆる聴覚ダメージを防止するために、復号化する装置において使用することができる。
【００２８】
さらにまた、本発明の実施形態は、ビットマップ形式においてオーディオＣＤまたはビデオＤＶＤにおいてたいていみられるカバーやブックレットのような画像アートワークにも提供する。その結果、このデータは、伝送の復号化側において、表示されおよび／または印刷されることもできる。
【００２９】
任意に、最高水準の技術において知られた方法によって損失性の音声圧縮を処理する後にも、本発明は、複数の音声プログラム、トラック、または単一におけるストリーム、継続的なマスタープログラムおよび結合されたストリーム、正確な時間の保存ならびに元の音声プログラムの補正をカプセル化する装置および方法をさらに提供する。さらに、例えば、元の（非符号化）音声プログラムの期間について、符号化システムアルゴリズムの遅延および時間情報が、ストリームにおいて結合されるなど、符号化の処理にかかわる任意の音声符号化装置の時間−マッピング特性を定義する論理構造の形式において、本発明は、結合されたストリームについて記憶媒体において、少なくとも１つの情報のパケットを保存する方法を作製する。あるいは、符号化システムを確認するために必要な情報パッケージだけが保存される。その結果、復号化デバイス装置は、それ自身のメモリに保存され、および前記符号化システムに関する情報を使用することによって、時間−マッピング特性を減らす。
【００３０】
任意に、結合された音声ストリームにおいて特定のイベントについて追加の時間マッピングプロパティを定義している論理構造の形式において、結合されたストリームについての情報の単一または複数のパケットが保存される。任意に、論理構造は、単一もしくは複数の結合された音声ストリームを指定することを定義し、論理構造は、結合されたストリームにおいて単一もしくは複数の保存された音声プログラムの音声信号の音の大きさについて情報を含み、または、論理構造は、結合されたストリームにおいて単一もしくは複数の保存された音声プログラムに関する追加のデータについて情報を含む。
【００３１】
他の本発明の実施形態において、方法は、転送媒体から送り先のコンピュータにわたって論理構造においてアレンジされる場合、保存媒体からパケットを転送することを含む。
【００３２】
１つの実施形態において、結合されたストリームを準備する装置は、元の音声プログラムおよび関連したメタデータを受信し、それらを処理し、そしてそれらを保存する手段を含む。それは、単一または複数の音声ストリームの音の大きさを得て、結合されたストリームにおいてそれらを保存する手段をさらに含む。さらに、他の実施形態は、結合されたストリームを分析し、復号化する装置を表わし、それらを保存する。さらにもう１つの実施形態において、装置は、元の音声プログラムの時間情報（例えば長さ）を復元し、ならびに処理を符号化し、復号化された音声信号を修正しおよび保存された情報を使用することによってもたらされたあらゆる遅延を除去するための手段をさらに含む。任意に、保存された情報を使用することによって、復号化された音声信号の音の大きさを修正するための手段をさらに含む。
【００３３】
進歩的な本方法の実施要件によっては、本方法は、ハードウェアまたはソフトウェアで実施することができる。本実施は、電子的に読み出し可能な制御信号を記憶するデジタル記憶媒体、特にディスク、ＤＶＤまたはＣＤを使用して行うことができ、進歩的な本方法が行われるようなプログラム可能なコンピュータシステムと共に動作する。したがって、一般的に、本発明は、機械読み出し可能な担体上に記憶されたプログラムコードを伴うコンピュータプログラム製品であって、プログラムコードは、コンピュータプログラム製品がコンピュータ上で実行する場合に、進歩的な本方法を行うために動作する。したがって、言い換えれば、進歩的な本方法は、コンピュータプログラムがコンピュータ上で実行する場合に、本方法の少なくとも１つを行うためのプログラムコードを有するコンピュータプログラムである。
【図面の簡単な説明】
【００３４】
【図１】図１は、符号化の装置の実施形態のブロック図を示す。
【図２】図２は、復号化の装置の実施形態のブロック図を示す。
【図３】図３は、復号化の装置の他の実施形態のブロック図を示す。
【図４】図４は、復号化の発明の方法の実施形態を表す。
【図５】図５は、復号化の装置の他の実施形態を示す。
【図６】図６は、保存または伝送のための発明のデータパケットの２つの実施形態を示す。
【図７】図７は、遅延の従来技術の復号化を例示す。
【図８】図８は、デジタルデータセットの典型的なセットを示す。
【図１】
2009534696.tif 000003
【図２】
2009534696.tif 000004
【図３】
2009534696.tif 000005
【図４】
2009534696.tif 000006
【図５】
2009534696.tif 000007
【図６】
2009534696.tif 000008
【図７】
2009534696.tif 000009
【図８】
2009534696.tif 000010
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
復号化遅延の発生に対する損失性符号化音声データを有する少なくとも２つの複数のデジタルデータセットを符号化する装置（１００）であって、デジタルデータセットはデータフレーム構造を有しており、データフレームは時間枠に対応し、時間枠当りのビット数は変数であり、前記複数のデジタルデータセットは時系列に命令され、前記装置（１００）は、
コンテンツパケットにおいて、前記複数のデジタルデータセットを結合する手段（１１０）と、
追加のパケットにおいて、前記時系列においてシーケンス情報を結合する手段（１２０）であって、前記シーケンス情報は、復号化遅延が補償できることに基づく、２つのデジタルデータセットの解釈関係が前記シーケンス情報から導き出せるものである、前記シーケンス情報を結合する前記手段（１２０）とを含む、装置（１００）。
【請求項２】
前記シーケンス情報を結合する前記手段（１２０）は、前記コンテンツパケットおよび前記時間シーケンス情報の中にデジタルデータセットの始点に対するアドレスまたは論理ポインタに関する情報を含むために適合される、請求項１に記載の装置（１００）。
【請求項３】
前記シーケンス情報を結合する前記手段（１２０）は、前記シーケンス情報における前記コンテンツパケットの中にデジタルデータセットの始点のタイムスタンプ、タイミング情報またはタイミングオフセットに関する情報を含むために適合される、請求項１に記載の装置（１００）。
【請求項４】
前記シーケンス情報を結合する前記手段（１２０）は、前記シーケンス情報において、コーディングタイプ、コーディングレートまたはコードのうちの１つまたは一群の組み合わせに関するさらなる情報を含むために適合される、請求項１ないし請求項３のいずれかに記載の装置（１００）。
【請求項５】
符号化する前記装置（１００）は、前記追加のパケットにおいて、前記デジタルデータセットの音の大きさ、イコライザの設定、ディスプレイの設定または再生オプションのうちの１つまたは一群の組み合わせに関するさらなる情報を含むメタデータを結合する手段をさらに含む、請求項１ないし請求項４のいずれかに記載の装置（１００）。
【請求項６】
メタデータを結合する前記手段は、前記メタデータのパケットにおいて、前記デジタルデータセットの楽器編成、歌詞、タイトル、名前、曲名、クリップ情報、発信地、作者のグループ、歌手、解説者、レコーディングの場所またはジャンルのうちの１つまたは一群の組み合わせに関するさらなる情報を含むために適合される、請求項５に記載の装置（１００）。
【請求項７】
メタデータを結合する前記手段は、前記メタデータのパケットにおいて、前記デジタルデータセットのカバー、ブックレットまたはラベルうちの１つまたは一群に関するさらなる情報を含むために適合される、請求項５または請求項６に記載の装置（１００）。
【請求項８】
前記装置（１００）は、前記コンテンツパケット、追加のパケットまたはメタデータのパケットを伝送または保存のために結合されたパケットに結合するためにさらに適合される、請求項１ないし請求項７のいずれかに記載の装置（１００）。
【請求項９】
デジタルデータセットは、映像トラックを含む、請求項１ないし請求項８のいずれかに記載の装置（１００）。
【請求項１０】
デジタルデータセットは、心理音響的に符号化された音声トラックである、請求項９に記載の装置（１００）。
【請求項１１】
デジタルデータセットは、損失性符号化されたデータパケットである、請求項９に記載の装置（１００）。
【請求項１２】
復号化遅延の発生に対する損失性符号化音声データを有する少なくとも２つの複数のデジタルデータセットを符号化する方法であって、デジタルデータセットはデータフレーム構造を有しており、データフレームは時間枠に対応し、時間枠当りのビット数は変数であり、複数のデジタルデータセットは時系列に命令され、前記方法は、
コンテンツパケットにおいて、前記複数のデジタルデータセットを結合するステップと、追加のパケットにおいて、前記時系列においてシーケンス情報を結合するステップであって、前記シーケンス情報は、復号化遅延が補償できることに基づく、２つのデジタルデータセットの解釈関係が前記シーケンス情報から導き出せるものである、前記シーケンス情報を結合する前記ステップとを含む、方法。
【請求項１３】
復号化遅延の発生に対する損失性符号化音声データを有する少なくとも２つの複数のデジタルデータセットを復号化する装置（２００）であって、デジタルデータセットはデータフレーム構造を有しており、データフレームは時間枠に対応し、時間枠当りのビット数は変数であり、コンテンツパケットおよび追加のパケットから、前記復号化された複数のデジタルデータセットは時系列に命令され、前記コンテンツパケットは複数のデジタルデータセットを含み、前記追加のパケットは時系列におけるシーケンス情報を有し、前記シーケンス情報は、２つのデジタルデータセットの解釈関係が前記シーケンス情報から導き出せるものであり、前記装置（２００）は、
前記コンテンツパケットおよび前記追加のパケットを読み取る手段（２１０）と、
前記コンテンツパケットにおける前記複数のデジタルデータセットを抽出し、前記追加のパケットから前記シーケンス情報を抽出し、および復号化遅延が補償できるような前記シーケンス情報に基づいて前記デジタルデータセットに命令する制御装置（２２０）とを含む、装置（２００）。
【請求項１４】
デジタルデータセットを復号化するデコーダ（２３０）をさらに含み、前記デコーダ（２３０）は、前記制御装置（２２０）に結合され、前記制御装置（２２０）は、復号化されたデジタルデータセットが前記時系列に命令されるようにデジタルデータセットを前記デコーダ（２３０）に提供するために適合される、請求項１３に記載の装置（２００）。
【請求項１５】
デジタルデータセットを復号化する第２デコーダ（２３５）をさらに含み、前記第２デコーダ（２３５）は、前記制御装置（２２０）に結合され、前記制御装置（２２０）は、前記デコーダ（２３０）および前記第２デコーダ（２３５）から復号化されたデジタルデータセットが前記時系列に命令されるようにデジタルデータセットを前記第２デコーダ（２３５）に提供するために適合される、請求項１４に記載の装置（２００）。
【請求項１６】
前記制御装置（２２０）は、前記シーケンス情報から前記コンテンツパケットの中のデジタルデータセットの始点に対するアドレスまたは論理ポインタに関する情報を抽出するために適合される、請求項１３ないし請求項１５のいずれかに記載の装置（２００）。
【請求項１７】
前記制御装置（２２０）は、前記シーケンス情報から前記コンテンツパケットの中のデジタルデータセットの始点のタイムスタンプ、タイミング情報またはタイミングオフセットに関する情報を抽出するために適合される、請求項１３ないし請求項１６のいずれかに記載の装置（２００）。
【請求項１８】
前記制御装置（２２０）は、前記追加のパケットからコーディングタイプ、コーディングレートまたはコードの１つまたは一群の組み合わせを抽出するために適合される、請求項１３ないし請求項１７のいずれかに記載の装置（２００）。
【請求項１９】
前記制御装置（２２０）は、追加のパケットから音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレットまたは任意のメタデータのうちの１つまたは一群の組み合わせに関するさらなる情報を抽出するために適合される、請求項１３ないし請求項１８のいずれかに記載の装置（２００）。
【請求項２０】
前記制御装置（２２０）は、前記コンテンツパケットから映像トラックを抽出するために適合される、請求項１３ないし請求項１９のいずれかに記載の装置（２００）。
【請求項２１】
前記デコーダ（２３０；２３５）は、心理音響的に符号化されたデジタルデータセットまたは損失性符号化されたデジタルデータセットを復号化するために適合される、請求項１４ないし請求項２０のいずれかに記載の装置（２００）。
【請求項２２】
復号化遅延の発生に対する損失性符号化音声データを有する少なくとも２つの複数のデジタルデータセットを復号化する方法であって、デジタルデータセットはデータフレーム構造を有しており、データフレームは時間枠に対応し、時間枠当りのビット数は変数であり、コンテンツパケットおよび追加のパケットから、前記複数のデジタルデータセットは時系列に命令され、前記コンテンツパケットは複数のデジタルデータセットを含み、前記追加のパケットは時系列におけるシーケンス情報を有し、前記シーケンス情報は、２つのデジタルデータセットの解釈関係が前記シーケンス情報から導き出せるものであり、前記方法は、
前記コンテンツパケットから前記複数のデジタルデータセットを抽出するステップと、
前記追加のパケットから前記シーケンス情報を抽出するステップと、
復号化遅延が補償できるような前記シーケンス情報に基づいて前記デジタルデータセットに命令するステップとを含む、方法。
【請求項２３】
コンテンツパケット（６１０；６４０）および追加のパケット（６２０；６５０）を含むデータファイル（６００）であって、前記コンテンツパケット（６１０；６４０）は復号化遅延の発生に対する損失性符号化音声データを有する少なくとも２つの複数のデジタルデータセットの情報を有し、デジタルデータセットはデータフレーム構造を有しており、データフレームは時間枠に対応し、時間枠当りのビット数は変数であり、前記追加のパケット（６２０；６５０）は前記複数のデジタルデータセットの時系列でのシーケンス情報を有し、前記シーケンス情報は、復号化遅延が補償できることに基づく２つのデジタルデータセットの解釈関係の情報を有する、データファイル。
【請求項２４】
音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレット、ラベルまたは任意のメタデータ（６６０）のうちの１つまたは一群の組み合わせに関する情報をさらに含む、請求項２３に記載のデータファイル（６００）。
【請求項２５】
デジタルデータセットは、心理音響的に符号化された音声データまたは損失性符号化されたデータを含む、請求項２３または請求項２４に記載のデータファイル（６００）。
【請求項２６】
デジタルデータセットは、映像データを含む、請求項２３ないし請求項２５のいずれかに記載のデータファイル（６００）。
【請求項２７】
コンピュータ上で実行されるときに、請求項１２または請求項２２に記載の方法を実行するためのプログラムコードを有するコンピュータプログラム。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
損失性符号化音声データを有する少なくとも２つのデジタルデータセットおよび元のタイミング関係の複数のデジタルデータセットを符号化する装置（１００）であって、デジタルデータセットはデータフレーム構造を有しており、データフレームは時間枠に対応し、時間枠当りのビット数は変数であり、前記複数のデジタルデータセットは時系列に命令され、前記装置（１００）は、
コンテンツパケットにおいて、前記複数のデジタルデータセットを結合する手段（１１０）と、
追加のパケットにおいて、前記時系列においてシーケンス情報を結合する手段（１２０）であって、前記シーケンス情報は、前記元のタイミング関係に基づく、前記２つの損失性符号化デジタルデータセットの解釈関係の情報を有する、前記シーケンス情報を結合する前記手段（１２０）とを含む、装置（１００）。
【請求項２】
前記シーケンス情報を結合する前記手段（１２０）は、前記コンテンツパケットおよび前記時間シーケンス情報の中にデジタルデータセットの始点に対するアドレスまたは論理ポインタに関する情報を含むために適合される、請求項１に記載の装置（１００）。
【請求項３】
前記シーケンス情報を結合する前記手段（１２０）は、前記シーケンス情報における前記コンテンツパケットの中にデジタルデータセットの始点のタイムスタンプ、タイミング情報またはタイミングオフセットに関する情報を含むために適合される、請求項１に記載の装置（１００）。
【請求項４】
前記シーケンス情報を結合する前記手段（１２０）は、前記シーケンス情報において、コーディングタイプ、コーディングレートまたはコードのうちの１つまたは一群の組み合わせに関するさらなる情報を含むために適合される、請求項１ないし請求項３のいずれかに記載の装置（１００）。
【請求項５】
符号化する前記装置（１００）は、前記追加のパケットにおいて、前記デジタルデータセットの音の大きさ、イコライザの設定、ディスプレイの設定または再生オプションのうちの１つまたは一群の組み合わせに関するさらなる情報を含むメタデータを結合する手段をさらに含む、請求項１ないし請求項４のいずれかに記載の装置（１００）。
【請求項６】
メタデータを結合する前記手段は、前記メタデータのパケットにおいて、前記デジタルデータセットの楽器編成、歌詞、タイトル、名前、曲名、クリップ情報、発信地、作者のグループ、歌手、解説者、レコーディングの場所またはジャンルのうちの１つまたは一群の組み合わせに関するさらなる情報を含むために適合される、請求項５に記載の装置（１００）。
【請求項７】
メタデータを結合する前記手段は、前記メタデータのパケットにおいて、前記デジタルデータセットのカバー、ブックレットまたはラベルうちの１つまたは一群に関するさらなる情報を含むために適合される、請求項５または請求項６に記載の装置（１００）。
【請求項８】
前記装置（１００）は、前記コンテンツパケット、追加のパケットまたはメタデータのパケットを伝送または保存のために結合されたパケットに結合するためにさらに適合される、請求項１ないし請求項７のいずれかに記載の装置（１００）。
【請求項９】
デジタルデータセットは、映像トラックを含む、請求項１ないし請求項８のいずれかに記載の装置（１００）。
【請求項１０】
デジタルデータセットは、心理音響的に符号化された音声トラックである、請求項９に記載の装置（１００）。
【請求項１１】
デジタルデータセットは、損失性符号化されたデータパケットである、請求項９に記載の装置（１００）。
【請求項１２】
損失性符号化音声データを有する少なくとも２つのデジタルデータセットおよび元のタイミング関係の複数のデジタルデータセットを符号化する方法であって、デジタルデータセットはデータフレーム構造を有しており、データフレームは時間枠に対応し、時間枠当りのビット数は変数であり、複数のデジタルデータセットは時系列に命令され、前記方法は、
コンテンツパケットにおいて、前記複数のデジタルデータセットを結合するステップと、追加のパケットにおいて、前記時系列においてシーケンス情報を結合するステップであって、前記シーケンス情報は、前記元のタイミング関係に基づく、前記２つの損失性符号化デジタルデータセットの解釈関係の情報を有する、前記シーケンス情報を結合する前記ステップとを含む、方法。
【請求項１３】
損失性符号化音声データを有する少なくとも２つのデジタルデータセットおよび元のタイミング関係の複数のデジタルデータセットを復号化する装置（２００）であって、デジタルデータセットはデータフレーム構造を有しており、データフレームは時間枠に対応し、時間枠当りのビット数は変数であり、コンテンツパケットおよび追加のパケットから、前記復号化された複数のデジタルデータセットは時系列に命令され、前記コンテンツパケットは複数のデジタルデータセットを含み、前記追加のパケットは時系列におけるシーケンス情報を有し、前記シーケンス情報は、前記元のタイミング関係に基づく、前記２つの損失性符号化デジタルデータセットの解釈関係の情報を有し、前記装置（２００）は、
前記コンテンツパケットおよび前記追加のパケットを読み取る手段（２１０）と、
前記コンテンツパケットから前記複数のデジタルデータセットを抽出し、前記追加のパケットから前記シーケンス情報を抽出し、および前記元のタイミング関係が維持できるような前記シーケンス情報に基づいて前記２つの損失性符号化デジタルデータセットに命令する制御装置（２２０）とを含む、装置（２００）。
【請求項１４】
デジタルデータセットを復号化するデコーダ（２３０）をさらに含み、前記デコーダ（２３０）は、前記制御装置（２２０）に結合され、前記制御装置（２２０）は、復号化されたデジタルデータセットが前記時系列に命令されるようにデジタルデータセットを前記デコーダ（２３０）に提供するために適合される、請求項１３に記載の装置（２００）。
【請求項１５】
デジタルデータセットを復号化する第２デコーダ（２３５）をさらに含み、前記第２デコーダ（２３５）は、前記制御装置（２２０）に結合され、前記制御装置（２２０）は、前記デコーダ（２３０）および前記第２デコーダ（２３５）から復号化されたデジタルデータセットが前記時系列に命令されるようにデジタルデータセットを前記第２デコーダ（２３５）に提供するために適合される、請求項１４に記載の装置（２００）。
【請求項１６】
前記制御装置（２２０）は、前記シーケンス情報から前記コンテンツパケットの中のデジタルデータセットの始点に対するアドレスまたは論理ポインタに関する情報を抽出するために適合される、請求項１３ないし請求項１５のいずれかに記載の装置（２００）。
【請求項１７】
前記制御装置（２２０）は、前記シーケンス情報から前記コンテンツパケットの中のデジタルデータセットの始点のタイムスタンプ、タイミング情報またはタイミングオフセットに関する情報を抽出するために適合される、請求項１３ないし請求項１６のいずれかに記載の装置（２００）。
【請求項１８】
前記制御装置（２２０）は、前記追加のパケットからコーディングタイプ、コーディングレートまたはコードの１つまたは一群の組み合わせを抽出するために適合される、請求項１３ないし請求項１７のいずれかに記載の装置（２００）。
【請求項１９】
前記制御装置（２２０）は、追加のパケットから音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレットまたは任意のメタデータのうちの１つまたは一群の組み合わせに関するさらなる情報を抽出するために適合される、請求項１３ないし請求項１８のいずれかに記載の装置（２００）。
【請求項２０】
前記制御装置（２２０）は、前記コンテンツパケットから映像トラックを抽出するために適合される、請求項１３ないし請求項１９のいずれかに記載の装置（２００）。
【請求項２１】
前記デコーダ（２３０；２３５）は、心理音響的に符号化されたデジタルデータセットまたは損失性符号化されたデジタルデータセットを復号化するために適合される、請求項１４ないし請求項２０のいずれかに記載の装置（２００）。
【請求項２２】
損失性符号化音声データを有する少なくとも２つのデジタルデータセットおよび元のタイミング関係の複数のデジタルデータセットを復号化する方法であって、デジタルデータセットはデータフレーム構造を有しており、データフレームは時間枠に対応し、時間枠当りのビット数は変数であり、コンテンツパケットおよび追加のパケットから、前記複数のデジタルデータセットは時系列に命令され、前記コンテンツパケットは複数のデジタルデータセットを含み、前記追加のパケットは時系列におけるシーケンス情報を有し、前記シーケンス情報は、前記元のタイミング関係に基づく、前記２つの損失性符号化デジタルデータセットの解釈関係の情報を有し、前記方法は、
前記コンテンツパケットから前記複数のデジタルデータセットを抽出するステップと、
前記追加のパケットから前記シーケンス情報を抽出するステップと、
前記元のタイミング関係が維持できるような前記シーケンス情報に基づいて前記２つの損失性符号化デジタルデータセットに命令するステップとを含む、方法。
【請求項２３】
コンテンツパケット（６１０；６４０）および追加のパケット（６２０；６５０）を含むデータファイル（６００）であって、前記コンテンツパケット（６１０；６４０）は損失性符号化音声データを有する少なくとも２つのデジタルデータセットおよび元のタイミング関係を有する複数のデジタルデータセットの情報を有し、デジタルデータセットはデータフレーム構造を有しており、データフレームは時間枠に対応し、時間枠当りのビット数は変数であり、前記追加のパケット（６２０；６５０）は前記複数のデジタルデータセットの時系列でのシーケンス情報を有し、前記シーケンス情報は、前記元のタイミング関係に基づく前記２つの損失性符号化デジタルデータセットの解釈関係の情報を有する、データファイル。
【請求項２４】
音の大きさ、イコライザの設定、ディスプレイの設定、再生オプション、楽器編成、歌詞、タイトルの名称、曲名、クリップ情報、発信地、作者、グループ、歌手、解説者、レコーディングの場所、ジャンル、カバー、ブックレット、ラベルまたは任意のメタデータ（６６０）のうちの１つまたは一群の組み合わせに関する情報をさらに含む、請求項２３に記載のデータファイル（６００）。
【請求項２５】
デジタルデータセットは、心理音響的に符号化された音声データまたは損失性符号化されたデータを含む、請求項２３または請求項２４に記載のデータファイル（６００）。
【請求項２６】
デジタルデータセットは、映像データを含む、請求項２３ないし請求項２５のいずれかに記載のデータファイル（６００）。
【請求項２７】
コンピュータ上で実行されるときに、請求項１２または請求項２２に記載の方法を実行するためのプログラムコードを有するコンピュータプログラム。
【国際調査報告】
2009534696.tif 000011
2009534696.tif 000012
2009534696.tif 000013